(57)【要約】【課題】原稿画像の読取処理を中断しないことにより、取得した画像データにおける画質の劣化を防止した読取処理を実行する画像読取装置を提供する。【解決手段】読取部２による画像データの読取処理中に、読み取った画像データを一時的に記憶するバッファメモリ１３に空き領域がなくなった場合に、バッファメモリ１３に記憶してある画像データをＰＣインタフェース１４を介して外部のＰＣ３へ送信する送信速度に基づいて、制御部１０が、読取部２による画像の読取処理を中断させない読取速度を算出し、算出した読取速度で画像データを取得するようにモータ１７により読取部２に備えるキャリッジの移動を制御する。【選択図】        図１
2005020537.tif 000002
【特許請求の範囲】
【請求項１】
画像を読み取り、画像データを取得する読取手段と、該読取手段が読み取った画像データを記憶する記憶手段と、該記憶手段に記憶してある画像データを外部へ送出する送出手段とを備える画像読取装置において、
前記送出手段が画像データを外部へ送出する送出速度を計測する計測手段と、
前記記憶手段に空き領域が存在するか否かを判断する判断手段と、
該判断手段にて空き領域が存在しないと判断した場合に、前記計測手段が計測した送出速度に基づいて、前記読取手段が画像を読み取る読取速度を算出する算出手段と、
該算出手段が算出した読取速度で画像を読み取るべく前記読取手段を制御する制御手段とを備えることを特徴とする画像読取装置。
【請求項２】
画像を読み取り、画像データを取得する読取手段と、該読取手段が読み取った画像データを記憶する記憶手段と、該記憶手段に記憶してある画像データを外部へ送出する送出手段とを備える画像読取装置において、
前記記憶手段に空き領域が存在するか否かを判断する判断手段と、
該判断手段が空き領域が存在しないと判断した場合に、前記画像の前記読取手段による読取が行なわれた領域を検出する検出手段と、
該検出手段が検出した領域に基づいて、前記読取手段が画像を読み取る読取速度を算出する算出手段と、
該算出手段が算出した読取速度で画像を読み取るべく前記読取手段を制御する制御手段とを備えることを特徴とする画像読取装置。
【請求項３】
前記制御手段は、前記判断手段にて空き領域が存在しないと判断した場合に、前記算出手段が算出した読取速度で前記画像を再読取すべく前記読取手段を制御するように構成してあることを特徴とする請求項１又は２に記載の画像読取装置。
【請求項４】
前記算出手段が算出した読取速度を記憶する読取速度記憶手段と、
前記読取手段が画像を読み取る読取条件を受け付ける受付手段とを備え、
前記算出手段は、前記読取速度記憶手段に記憶してある読取速度及び前記受付手段が受け付けた読取条件に基づいて、前記読取速度を算出するように構成してあることを特徴とする請求項１乃至３のいずれかに記載の画像読取装置。
【発明の詳細な説明】
【０００１】
【発明の属する技術分野】
本発明は、画像を読み取り画像データを取得する際の読取速度を、前記画像データの外部への送出速度に基づいて決定する画像読取装置に関するものである。
【０００２】
【従来の技術】
所定の載置台に載置された原稿画像を読み取り、デジタルの画像データを取得するスキャナが提供されており、このようなスキャナが、取得した画像データをケーブル等を介して接続されるコンピュータに送信することにより、前記画像データをコンピュータにおいて利用することができる。
【０００３】
上述したスキャナにおいては、原稿画像を読み取り、順次取得する画像データを一時的にメモリに記憶しておき、前記ケーブルにおける所定の通信速度に応じたタイミングでコンピュータへ送信するように構成されている。
また、スキャナは、読取対象である原稿画像１枚分のデータ量よりも少ない記憶容量のメモリしか備えていない場合があり、このような構成のスキャナにおいては、載置台に載置された原稿画像の読取処理と、メモリに記憶された画像データをコンピュータへ送信する送信処理とを並列に行なうことにより、原稿画像から読み取った画像データを順次コンピュータへ送信している。
【０００４】
ここで、一般に、スキャナが原稿画像から画像データを取得する際の読取速度は、スキャナからコンピュータへ画像データを送信する際の送信速度よりも速い場合が多く、スキャナは、原稿画像から読み取られた画像データを記憶するメモリに空き領域がない場合には、メモリに空き領域ができるまで原稿画像の読取処理を中断するように構成されている。
しかし、原稿画像の読取処理を停止し、前記メモリに空き領域ができたことにより原稿画像の読取処理を続行した場合には、原稿画像中の読取処理を中断した位置において画質の劣化が生じるおそれがある。具体的には、このように読取処理を中断して読み取られた画像データを記録用紙等に記録した場合には、つなぎ目の位置に筋が生じる場合がある。
【０００５】
そこで、原稿画像を読み取る際の解像度に基づいて、原稿画像の読取速度を変更することにより、原稿画像の読取処理を中断することなく、高画質の画像データを取得するように構成されたスキャナが提案されている（例えば、特許文献１参照）。
【０００６】
【特許文献１】
特開平８−３３５２６３号公報
【０００７】
【発明が解決しようとする課題】
しかし、上述した特許文献１に開示されているスキャナは、原稿画像を読み取る際の解像度に基づいて読取速度を決定しているため、読み取った画像データを外部の装置、例えばコンピュータへ送信する際の送信速度が何らかの理由により変動した場合には対応することができず、確実に原稿画像の読取処理の中断を防止することはできないという問題がある。
【０００８】
本発明は斯かる事情に鑑みてなされたものであり、画像データを外部へ送出する送出速度に基づいて画像を読み取る読取速度を算出し、算出した読取速度で画像を読み取ることにより、画像の読取処理を中断することがない読取速度を算出することができ、算出した読取速度にて、中断することなく画像の読取処理を実行することができる画像読取装置を提供することを目的とする。
【０００９】
【課題を解決するための手段】
第１発明に係る画像読取装置は、画像を読み取り、画像データを取得する読取手段と、該読取手段が読み取った画像データを記憶する記憶手段と、該記憶手段に記憶してある画像データを外部へ送出する送出手段とを備える画像読取装置において、前記送出手段が画像データを外部へ送出する送出速度を計測する計測手段と、前記記憶手段に空き領域が存在するか否かを判断する判断手段と、該判断手段にて空き領域が存在しないと判断した場合に、前記計測手段が計測した送出速度に基づいて、前記読取手段が画像を読み取る読取速度を算出する算出手段と、該算出手段が算出した読取速度で画像を読み取るべく前記読取手段を制御する制御手段とを備えることを特徴とする。
【００１０】
第１発明による場合は、画像を読み取り、取得した画像データを記憶しておく記憶手段に空き領域がない場合に、画像データを外部へ送出する送出速度に基づいて画像を読み取る読取速度を算出し、算出した読取速度で画像を読み取ることにより、外部の装置との接続状況等に関わらず、前記記憶手段に空き領域がなく、画像の読取処理を中断することがない読取速度を算出することができ、算出した読取速度にて、中断することなく画像の読取処理を実行することができるため、読み取った画像データの劣化を防止することができる。
【００１１】
第２発明に係る画像読取装置は、画像を読み取り、画像データを取得する読取手段と、該読取手段が読み取った画像データを記憶する記憶手段と、該記憶手段に記憶してある画像データを外部へ送出する送出手段とを備える画像読取装置において、前記記憶手段に空き領域が存在するか否かを判断する判断手段と、該判断手段が空き領域が存在しないと判断した場合に、前記画像の前記読取手段による読取が行なわれた領域を検出する検出手段と、該検出手段が検出した領域に基づいて、前記読取手段が画像を読み取る読取速度を算出する算出手段と、該算出手段が算出した読取速度で画像を読み取るべく前記読取手段を制御する制御手段とを備えることを特徴とする。
【００１２】
第２発明による場合は、画像を読み取り、取得した画像データを記憶しておく記憶手段に空き領域がない場合に、当該空き領域がないと判断されるまでに読取が行なわれた画像の領域を検出し、検出した領域に基づいて画像を読み取る読取速度を算出し、算出した読取速度で画像を読み取る。これにより、外部の装置との接続状況等に関わらず、前記記憶手段に空き領域がなく、画像の読取処理を中断することがない読取速度を算出することができ、算出した読取速度にて、中断することなく画像の読取処理を実行することができるため、読み取った画像データの劣化を防止することができる。
【００１３】
第３発明に係る画像読取装置は、前記制御手段は、前記判断手段にて空き領域が存在しないと判断した場合に、前記算出手段が算出した読取速度で前記画像を再読取すべく前記読取手段を制御するように構成してあることを特徴とする。
【００１４】
第３発明による場合は、読み取った画像データを一時的に記憶しておく記憶手段に空き領域がなく、画像の読取処理を中断した場合に、上述のように算出した読取速度にて、前記画像を読み取り直しをすることにより、読取処理が中断された画像についても、中断することなく再度読取処理を行なうことにより、読み取った画像データの劣化を防止することができる。
【００１５】
第４発明に係る画像読取装置は、前記算出手段が算出した読取速度を記憶する読取速度記憶手段と、前記読取手段が画像を読み取る読取条件を受け付ける受付手段とを備え、前記算出手段は、前記読取速度記憶手段に記憶してある読取速度及び前記受付手段が受け付けた読取条件に基づいて、前記読取速度を算出するように構成してあることを特徴とする。
【００１６】
第４発明による場合は、読み取った画像データを一時的に記憶しておく記憶手段に空き領域がなく、画像の読取処理を中断した場合に算出された、読取処理を中断することなく行なえる読取速度を記憶しておき、次に読取処理を行なう際に、記憶してある読取速度と、外部から受け付けた読取条件、例えば、画像を読み取る際の解像度及び用紙サイズ等とに基づいて、画像の読取処理を中断することがない読取速度を算出することができ、中断するおそれのない読取速度を確実に算出することができる。
【００１７】
【発明の実施の形態】
以下に、本発明に係る画像読取装置を、デジタルカラースキャナにおける実施の形態に基づいて詳述する。図１は本発明に係るデジタルカラースキャナの構成例を示すブロック図であり、図中１はデジタルカラースキャナ（以下、スキャナという）を示している。
このスキャナ１は、制御部１０、ＲＯＭ１１、ＲＡＭ１２、バッファメモリ１３、ケーブル３ａを介してＰＣ３に接続するためのＰＣインタフェース１４、ＰＣインタフェース１４からＰＣ３へ画像データを送信する際の送信速度（送出速度）を計測する通信速度計測部（計測手段）１５、操作部１６、読取部（読取手段）２、モータ１７等を備えており、夫々はバス１８を介して相互に接続されている。
【００１８】
制御部１０は、具体的にはＣＰＵ（Ｃｅｎｔｒａｌ  Ｐｒｏｃｅｓｓｉｎｇ  Ｕｎｉｔ）  等で構成され、自身に備える時計手段（図示せず）にて所定のタイミングを計時しながら、バス１８を介して接続される上述したようなハードウェア各部を制御すると共に、ＲＯＭ１１に格納された制御プログラムに従って、種々のソフトウェア的機能を実行する。
ＲＯＭ１１は、本実施の形態に係るスキャナ１の動作として必要な種々の制御プログラムを記憶している。
【００１９】
ＲＡＭ１２は、ＳＲＡＭ又はフラッシュメモリ等で構成され、制御部１０による各制御プログラムの実行時に発生するデータを一時的に記憶する。
操作部１６は、スキャナ１の操作のために必要な情報を表示する液晶パネル等の表示部１６ａと、ユーザの操作により制御命令などの情報が入力されるタッチパネル又はテンキー等の入力部１６ｂとにより構成してある。
【００２０】
読取部２は、イメージセンサ２０、ＡＦＥ２１、Ａ／Ｄ（アナログ／デジタル）変換器２２、画像処理部２３等を備えており、後述するように、イメージセンサ２０が読取対象の原稿からの反射光を、ＲＧＢ（Ｒ：赤，Ｇ：緑，Ｂ：青）方式のアナログ信号として読み取り、読み取ったアナログ信号をＡＦＥ２１に入力する。尚、イメージセンサ２０としては、例えば、ＲＧＢの各ラインセンサが適宜の間隔を隔てて配置してある３ラインタイプのものを使用することができる。ＡＦＥ２１は、増幅回路（図示せず）、サンプルホールド回路（図示せず）等を備え、イメージセンサ２０により読み取られたアナログ信号を、増幅回路により所定の大きさに増幅し、この増幅されたアナログ信号を、サンプルホールド回路により一定のタイミング毎にサンプルホールドし、この各値をＡ／Ｄ変換器２２に入力する。
【００２１】
Ａ／Ｄ変換器２２は、ＡＦＥ２１から取得したアナログ信号をデジタル信号に変換し、画像処理部２３に入力する。尚、本実施の形態においては、Ａ／Ｄ変換器２２は、ＡＦＥ２１から入力されたアナログ信号を８ビットのデジタル信号に変換しており、生成したカラー画像データを画像処理部２３に入力する。
画像処理部２３は、Ａ／Ｄ変換器２２から入力されたデジタル信号に、読取部２に含まれる照明系、結像系及び撮像系で生じた各種の歪みを取り除くシェーディング補正処理、各種の色調整処理等を行い、処理した画像データをバッファメモリ１３に記憶させる。
【００２２】
バッファメモリ１３は、ＤＲＡＭ等により構成されており、読取部２により読み取られた画像データを一時的に記憶する記憶手段として動作する。尚、バッファメモリ１３は、読取部２の読取対象である原稿１枚分の画像データのデータ量よりも少ない記憶容量しか有しておらず、スキャナ１は、読取部２から入力される画像データの記憶処理と、所定のタイミングで、記憶してある画像データを送出手段としてのＰＣインタフェース１４からＰＣ３へ送信する処理とを並列に行なっている。
【００２３】
図２は読取部２の構成例を示す図であり、図２（ａ）の概観斜視図に示すように、読取部２は、直方体型の筺体２ｂと、筺体２ｂ上面の一辺に開閉自在に取り付けられたプラテンカバー２ａと、筺体２ｂ上面に設けられた長方形型のプラテンガラス（原稿載置台）３０とを備えている。
この読取部２は、プラテンカバー２ａを開けて原稿をプラテンガラス３０上に載置し、プラテンカバー２ａを閉じて、プラテンガラス３０上に原稿が静止した状態で読取を行う。
【００２４】
図２（ｂ）は読取部２の内部構成例を示すブロック図であり、図２（ｂ）は図２（ａ）において矢符Ａで示す方向から見た図を示している。
読取部２の筺体２ｂの内部には、白色蛍光灯又は冷陰極管等からなり、プラテンガラス３０上に載置された原稿に光を照射する光源ランプ３１、原稿画像（画像）からの反射光の光路ｚを変更する板状の第１ミラー３２、第２ミラー３４及び第３ミラー３５を、夫々所定の位置で、長手方向を主走査方向（図２（ａ）中のｘで示す方向）に平行に配置してある。
【００２５】
上述した光源ランプ３１及び第１ミラー３２は、図中の矢符ｙで示す副走査方向に、プラテンガラス３０の一端部をホームポジションとして、このホームポジションから他端部までの移動が可能なキャリッジ３３に搭載されている。
また、筺体２ｂの内部には、第１ミラー３２、第２ミラー３４及び第３ミラー３５により光路ｚが変更された原稿画像からの反射光を集光する結像レンズ３６と、結像レンズ３６を通して入射される前記反射光を取得するＣＣＤ（Ｃｈａｒｇｅ  Ｃｏｕｐｌｅｄ  Ｄｅｖｉｃｅ）  ラインセンサ等からなるイメージセンサ２０とを備えている。
【００２６】
ここで、キャリッジ３３は、キャリッジ３３の制御手段としてのモータ１７（図１参照）からの駆動により副走査方向ｙへの移動が可能に構成されており、読取部２は、第１ミラー３２、第２ミラー３４及び第３ミラー３５により反射された原稿画像からの反射光を、主走査方向ｘの１ライン分ずつイメージセンサ２０により取り込み、キャリッジ３３の副走査方向ｙへの移動に従って１枚分の原稿画像の読み取りを行なう。
【００２７】
上述した構成のスキャナ１においては、ユーザが、原稿画像を通常読取で読み取るか、高画質読取で読み取るかを設定することが可能に構成してある。
制御部１０は、読取部２により読み取られた画像データを記憶するバッファメモリ１３に空き領域があるか否かを判断する判断手段として動作しており、通常読取が設定され、原稿画像の読取処理の際に、バッファメモリ１３に空き領域がなくなった場合、読取部２による読取処理を中断し、バッファメモリ１３に空き領域ができた時点で読取処理を続行する。
このように、通常読取が設定された場合には、読取部２による読取処理が中断する場合があり、画質の劣化を生じるおそれがあるが、読取処理を高速に行なうことができる。
【００２８】
一方、制御部１０は、高画質読取が設定され、原稿画像の読取処理の際に、バッファメモリ１３に空き領域がなくなった場合、通信速度計測部１５が計測したＰＣ３への通信速度と、モータ１７が駆動するキャリッジ３３の移動速度（読取速度）とに基づいて、バッファメモリ１３に空き領域がなくならない移動速度を算出する算出手段として動作しており、算出した速度にてキャリッジ３３を移動させることにより再度読取処理を行なうべくモータ１７を動作させる。
このように、高画質読取が設定された場合には、読取部２による読取処理が中断された場合に、読取処理を中断しない速度にて改めて読取処理を行なうため、画質の劣化を生じない読取処理を行なうことができる。
【００２９】
以下に、上述した構成のスキャナ１における原稿画像の読取処理について説明する。図３は本発明に係るスキャナ１による原稿画像の読取処理手順を示すフローチャートである。
ユーザは、上述した構成のスキャナ１を用いて原稿画像から画像データを取得する場合、所定の位置に原稿画像を載置し、操作部１６に備える各種の設定キーを操作することにより、原稿画像を読み取る際に通常読取を行なうか、高画質読取を行なうかを設定し、スタートキー（図示せず）をオンする。
【００３０】
制御部１０は、スタートキーがオンされた場合、ユーザにより通常読取が設定されたか否かを判断しており（Ｓ１）、通常読取が設定されたと判断した場合（Ｓ１：ＹＥＳ）、光源ランプ３１を点灯させてモータ１７を駆動させ（Ｓ２）、キャリッジ３３を移動させることにより原稿画像の読取処理を開始し、主走査方向ｘに１ライン分の画像データを読み取る（Ｓ３）。
次に制御部１０は、１枚分の画像データの読取が終了したか否かを判断しており（Ｓ４）、１枚分の読取が終了した場合（Ｓ４：ＹＥＳ）、光源ランプ３１を消灯させてモータ１７を停止させて原稿画像の読取を終了する（Ｓ５）。
【００３１】
１枚分の読取が終了していない場合（Ｓ４：ＮＯ）、制御部１０は、バッファメモリ１３に空き領域がないか否かを判断しており（Ｓ６）、バッファメモリ１３に空き領域がある場合（Ｓ６：ＮＯ）、ステップＳ３に戻り、主走査方向ｘに１ライン分の画像データを順次読み取る。
また、バッファメモリ１３に空き領域がない場合（Ｓ６：ＹＥＳ）、制御部１０は、モータ１７を停止させることにより（Ｓ７）、キャリッジ３３を停止させて原稿画像の読取処理を中断する。
【００３２】
制御部１０は、所定のタイミングにて、バッファメモリ１３に空き領域ができたか否かを判断しており（Ｓ８）、空き領域がない場合（Ｓ８：ＮＯ）、空き領域ができるまで待機しており、空き領域ができた場合（Ｓ８：ＹＥＳ）、モータ１７を駆動させ（Ｓ９）、キャリッジ３３を移動させることにより原稿画像の読取処理を続行し、１枚分の読取が終了するまで、ステップＳ３からＳ９までの処理を繰り返す。
【００３３】
一方、ステップＳ１で、通常読取が設定されていない場合（Ｓ１：ＮＯ）、即ち、高画質読取が設定されている場合、制御部１０は、光源ランプ３１を点灯させてモータ１７を駆動させ（Ｓ１０）、キャリッジ３３を移動させることにより原稿画像の読取処理を開始し、主走査方向ｘに１ライン分の画像データを読み取る（Ｓ１１）。
次に制御部１０は、１枚分の画像データの読取が終了したか否かを判断しており（Ｓ１２）、１枚分の読取が終了した場合（Ｓ１２：ＹＥＳ）、光源ランプ３１を消灯させてモータ１７を停止させて原稿画像の読取を終了する（Ｓ１３）。
【００３４】
１枚分の読取が終了していない場合（Ｓ１２：ＮＯ）、制御部１０は、バッファメモリ１３に空き領域がないか否かを判断しており（Ｓ１４）、バッファメモリ１３に空き領域がある場合（Ｓ１４：ＮＯ）、ステップＳ１１に戻り、主走査方向ｘに１ライン分の画像データを順次読み取る。
また、バッファメモリ１３に空き領域がない場合（Ｓ１４：ＹＥＳ）、制御部１０は、モータ１７を停止させることにより（Ｓ１５）、キャリッジ３３を停止させて原稿画像の読取処理を一旦終了する。
【００３５】
ここで、制御部１０は、通信速度計測部１５が計測したＰＣインタフェース１４からＰＣ３へ送信される画像データの送信速度と、モータ１７が駆動するキャリッジ３３の移動速度とを取得しており、これらの送信速度及び移動速度から、読取部２による原稿画像の読取処理を中断しないキャリッジ３３の移動速度を算出する（Ｓ１６）。
また、制御部１０は、キャリッジ３３をホームポジションへ移動させ（Ｓ１７）、ステップＳ１６で算出した移動速度に基づく駆動力にてモータ１７を駆動させ（Ｓ１８）、キャリッジ３３を移動させることにより原稿画像の読取処理を再度開始し、主走査方向ｘに１ライン分の画像データを読み取り（Ｓ１１）、１枚分の読取が終了するまで、ステップＳ１１からＳ１８までの処理を繰り返す。
【００３６】
上述したように、バッファメモリ１３に空き領域がなくなることによる読取処理の中断を防止した移動速度にてキャリッジ３３を制御することにより、画質の劣化を防止した読取処理を行なうことができる。尚、キャリッジ３３の移動速度を変更した後は、変更前に比べて、読取データをサンプリングするサンプリング周期を長くすることにより、移動速度の変更に関わらず、原稿に対する読取ライン位置は一定となるように制御される。
上述した実施の形態では、スキャナ１は、原稿画像から読み取った画像データをＰＣ３へ送信する構成について説明しているが、ＰＣ３に限られず、例えば、プリンタ装置等の外部の装置へ送信する構成についても同様の効果が得られる。また、スキャナ１は、デジタルカラースキャナに限られず、原稿画像をモノクロの画像データとして取得する構成のスキャナであってもよい。
【００３７】
上述した実施の形態では、原稿画像の読取処理の際に、バッファメモリ１３に空き領域がなくなった場合に、読取処理を中断させないキャリッジ３３の移動速度を算出しているが、キャリッジ３３の移動速度（読取速度）をＲＡＭ（読取速度記憶手段）１２に記憶させておき、次回の読取処理において用いる構成とすることもできる。
また、キャリッジ３３の副走査方向ｙの移動位置を検出するセンサを備えることにより、バッファメモリ１３に空き領域がなく、原稿画像の読取処理を中断した際に停止したキャリッジ３３の副走査方向ｙにおける位置に基づいて、読取処理を中断しないキャリッジ３３の移動速度を算出することもできる。尚、原稿画像の読取処理を中断した時点でのキャリッジ３３の位置が示す、読取処理が中断されるまでに読み取られた領域に基づいて、読取処理を中断しないキャリッジ３３の移動速度を算出することもできる。
【００３８】
更に、ユーザによる読取解像度等の読取条件の設定を受け付ける受付手段としての制御部１０を備えたスキャナ１においては、設定された各種の読取条件に基づいて、前記移動速度を算出することもできる。
また、スキャナ１をネットワーク等を介して複数のコンピュータと接続してある場合に、スキャナ１にて読み取った画像データを送信する送信先のコンピュータ毎に、読取速度を変更する構成とすることもできる。
【００３９】
【発明の効果】
第１発明による場合は、画像を読み取り、取得した画像データを記憶しておく記憶手段に空き領域がない場合に、画像データを外部へ送出する送出速度に基づいて画像を読み取る読取速度を算出し、算出した読取速度で画像を読み取ることにより、外部の装置との接続状況等に関わらず、前記記憶手段に空き領域がなく、画像の読取処理を中断することがない読取速度を算出することができ、算出した読取速度にて、中断することなく画像の読取処理を実行することができるため、読み取った画像データの劣化を防止することができる。
【００４０】
第２発明による場合は、画像を読み取り、取得した画像データを記憶しておく記憶手段に空き領域がない場合に、当該空き領域がないと判断されるまでに読取が行なわれた画像の領域を検出し、検出した領域に基づいて画像を読み取る読取速度を算出し、算出した読取速度で画像を読み取る。これにより、外部の装置との接続状況等に関わらず、前記記憶手段に空き領域がなく、画像の読取処理を中断することがない読取速度を算出することができ、算出した読取速度にて、中断することなく画像の読取処理を実行することができるため、読み取った画像データの劣化を防止することができる。
【００４１】
第３発明による場合は、読み取った画像データを一時的に記憶しておく記憶手段に空き領域がなく、画像の読取処理を中断した場合に、上述のように算出した読取速度にて、前記画像を読み取り直しをすることにより、読取処理が中断された画像についても、中断することなく再度読取処理を行なうことにより、読み取った画像データの劣化を防止することができる。
【００４２】
第４発明による場合は、読み取った画像データを一時的に記憶しておく記憶手段に空き領域がなく、画像の読取処理を中断した場合に算出された、読取処理を中断することなく行なえる読取速度を記憶しておき、次に読取処理を行なう際に、記憶してある読取速度と、外部から受け付けた読取条件、例えば、画像を読み取る際の解像度及び用紙サイズ等とに基づいて、画像の読取処理を中断することがない読取速度を算出することができ、中断するおそれのない読取速度を確実に算出することができる。
【図面の簡単な説明】
【図１】本発明に係るデジタルカラースキャナの構成例を示すブロック図である。
【図２】（ａ）は読取部の概観斜視図であり、（ｂ）は読取部の内部構成例を示すブロック図である。
【図３】本発明に係るスキャナによる原稿画像の読取処理手順を示すフローチャートである。
【符号の説明】
１  スキャナ（画像読取装置）
２  読取部（読取手段）
１０  制御部（判断手段、算出手段、検出手段、受付手段）
１２  ＲＡＭ（読取速度記憶手段）
１３  バッファメモリ（記憶手段）
１４  ＰＣインタフェース（送出手段）
１５  通信速度計測部（計測手段）
１８  モータ（制御手段）
【図１】
2005020537.tif 000003
【図２】
2005020537.tif 000004
【図３】
2005020537.tif 000005